(57)【要約】【課題】専用の仮プレートの簡便な押し付け方式により定着材の漏れ出しを容易に防止する後注入型ロックボルト用定着材注入方法を提供する。【解決手段】本発明による後注入型ロックボルト用定着材注入方法は、ロックボルト挿入孔にロックボルトを挿入後、定着材を注入して定着する後注入型ロックボルト用定着材注入方法において、注入パイプと排気パイプを併設したロックボルトの頭部に、注入パイプと排気パイプとロックボルト頭部とが貫通するように仮プレートを取り付ける段階と、前記ロックボルトを、仮プレートが吹付けコンクリート面に当接するまでロックボルト挿入孔に挿入する段階と、スペーサ材を介してまたは直接に  仮プレートを押圧するアングル材をアンカーにより吹付けコンクリートに固定する段階と、排気パイプから定着材が流出するまで注入パイプから定着材を注入する段階を有することを特徴とする。【選択図】図１
2018178426.tif 000002
【特許請求の範囲】
【請求項１】
ロックボルト挿入孔にロックボルトを挿入後、定着材を注入して定着する後注入型ロックボルト用定着材注入方法において、
注入パイプと排気パイプを併設したロックボルトの頭部に、注入パイプと排気パイプとロックボルト頭部とが貫通するように仮プレートを取り付ける段階と、
前記ロックボルトを、仮プレートが吹付けコンクリート面に当接するまでロックボルト挿入孔に挿入する段階と、
スペーサ材を介してまたは直接に仮プレートを押圧するアングル材をアンカーにより吹付けコンクリートに固定する段階と、
排気パイプから定着材が流出するまで注入パイプから定着材を注入する段階を有することを特徴とする後注入型ロックボルト用定着材注入方法。
【請求項２】
前記仮プレートが当接する吹付けコンクリート面は平坦化されていることを特徴とする請求項１に記載の後注入型ロックボルト用定着材注入方法。
【請求項３】
前記仮プレートと吹付けコンクリートとの間に弾力性を有するシール材を備えることを特徴とする請求項１に記載の後注入型ロックボルト用定着材注入方法。
【請求項４】
前記スペーサ材は仮プレート又はアングル材に固定されていることを特徴とする請求項１に記載の後注入型ロックボルト用定着材注入方法。
【発明の詳細な説明】
【技術分野】
【０００１】
本発明は、後注入型ロックボルト用定着材注入方法に関し、特に専用の仮プレートの簡便な押し付け方式により定着材の漏れ出しを容易に防止する後注入型ロックボルト用定着材注入方法に関する。
【背景技術】
【０００２】
山岳トンネルを建設する工法として新オーストリアトンネル工法（ＮＡＴＭ）が多く採用されている。この工法ではトンネルの掘削を行った後、トンネル内面に吹付けコンクリートを施してから、吹付けコンクリートを貫通し地山に達する所定の長さのロックボルトを所定の間隔で複数設置し、ロックボルトの突出部にプレートを挿通してナットで締着することでトンネル地山を補強してトンネル内壁の崩落を防止する。
ロックボルトは設置する地山の強度や岩質に応じて、本数や長さが調整されるが、通常３ｍ程度の長さのものが使用される。
【０００３】
ロックボルトの設置は、一般的に、ロックボルト挿入孔を形成するロックボルト用削孔を行った後、ロックボルト挿入孔に定着材を充填し、そこにロックボルトを挿入して定着する先充填型が行われる。しかし、地山が強固な岩盤ではなく、強度不足が懸念される場合は通常より長い、例えば４〜６ｍの長さのロックボルトが使用される。このような長尺のロックボルトを設置する場合、特に天井付近で上向きのロックボルトを定着する際、定着材が垂れ落ちてくるなどして、定着が一部不完全となるおそれがある。その対策として後注入型が適用される。
【０００４】
後注入型では、予め定着材注入用のパイプと排気用のパイプを取り付けた（中実な）棒鋼のロックボルトまたは排気用のパイプを取り付けた中空のロックボルトをロックボルト挿入孔に挿入してから、注入用パイプ又は中空のロックボルトを通して定着材が注入される。この時、注入した定着材が垂れ落ちてくるのを防止する方法が開示されている。
【０００５】
特許文献１には、ロックボルト挿入孔の口元に布袋状のパッカーを設け、定着材注入に先立ちパッカー用注入ホースからセメント系グラウト材をパッカー内に注入して径方向に拡大させることにより、孔の口元を塞ぐロックボルト施工方法が開示されている。この方法で使用されるパッカーは高価な上に再利用ができないため、ロックボルトの設置費用が高額となる。またパッカーの設置は手間がかかり煩雑である。地山が軟質な場合、膨らんだパッカーでロックボルト孔口元の軟質な地山が破壊して隙間ができ、定着材が漏れてうまく充填できない場合があり、これもパッカー方式の課題の一つとなっている。
【０００６】
特許文献２には、ロックボルトの基端部に、一方の面に弾性体からなるシール部材が設けられたプレートを嵌め込んでから、ロックボルト挿入孔に挿入し、ロックボルトを挿入方向に押し付けた状態で定着材を注入することで、口元からの定着材の漏えいを防ぐ定着材注入方法が開示されている。この方法では定着材が漏えいしなくなる硬度になるまでロックボルトを押し続ける必要があるが、明細書中では押し付け装置との記載があるのみで具体的な構成に関する記載は無い。
【０００７】
そこで、軟質な地山であっても、施工が容易で安価に、ロックボルトを確実に全面定着により設置することができる後注入型のロックボルト用定着材注入方法が求められる。
【先行技術文献】
【特許文献】
【０００８】
【特許文献１】特許第５１５３５０５号公報
【特許文献２】特許第３０４６５４８号公報
【発明の概要】
【発明が解決しようとする課題】
【０００９】
本発明は、上記従来の後注入型ロックボルト用定着材注入方法における問題点に鑑みてなされたものであって、本発明の目的は、専用の仮プレートの簡便な押し付け方式により定着材の漏れ出しを容易に防止する後注入型ロックボルト用定着材注入方法を提供することにある。
【課題を解決するための手段】
【００１０】
上記目的を達成するためになされた本発明による後注入型ロックボルト用定着材注入方法は、ロックボルト挿入孔にロックボルトを挿入後、定着材を注入して定着する後注入型ロックボルト用定着材注入方法において、注入パイプと排気パイプを併設したロックボルトの頭部に、注入パイプと排気パイプとロックボルト頭部とが貫通するように仮プレートを取り付ける段階と、前記ロックボルトを、仮プレートが吹付けコンクリート面に当接するまでロックボルト挿入孔に挿入する段階と、スペーサ材を介してまたは直接に仮プレートを押圧するアングル材をアンカーにより吹付けコンクリートに固定する段階と、排気パイプから定着材が流出するまで注入パイプから定着材を注入する段階を有することを特徴とする。
【００１１】
前記仮プレートが当接する吹付けコンクリート面は平坦化されていることが好ましい。
前記仮プレートと吹付けコンクリートとの間に弾力性を有するシール材を備えることが好ましい。
前記スペーサ材は仮プレート又はアングル材に固定されていることが好ましい。
【発明の効果】
【００１２】
本発明に係る後注入型ロックボルト用定着材注入方法によれば、定着材の漏えいを防止する仮プレートの押しつけは、スペーサ材を介してまたは直接に仮プレートを押圧するアングル材をアンカーによって固定するのみで継続的に実現できるため、仮プレートの設置が容易に実施できる。また仮プレート、スペーサ材、アングル材はいずれもロックボルト定着後取り外して再利用ができるため、ロックボルト設置作業が低コストで実現できるという効果もある。
【図面の簡単な説明】
【００１３】
【図１】本発明の実施形態による後注入型ロックボルト用定着材注入方法の定着材注入前の状態を概略的に示す断面図である。
【図２】本発明の実施形態による仮プレートの設置方法を説明するための図である。
【図３】本発明の実施形態による後注入型ロックボルト用定着材注入方法を説明するためのフローチャートである。
【図４】本発明の他の実施形態による仮プレートの設置方法を説明するための図である。
【図５】本発明の実施形態によるロックボルト定着後のプレートの定着を説明するための図である。
【図６】本発明の実施形態によるロックボルト定着後のプレートの定着を説明するためのフローチャートである。
【００１４】
次に、本発明に係る後注入型ロックボルト用定着材注入方法を実施するための形態の具体例を、図面を参照しながら詳細に説明する。
図１は、本発明の実施形態による後注入型ロックボルト用定着材注入方法の定着材注入前の状態を概略的に示す断面図である。
【００１５】
図１を参照すると、地山１０のトンネル内壁側に吹付けコンクリート１１が所定の厚さに吹付けられ、予めロックボルト１を挿入するためのロックボルト挿入孔１２が削孔されている。ロックボルト１は中実の棒鋼で、ロックボルト１を定着するための定着材を注入する注入パイプ２及び定着材を注入する際、定着材の中に気泡が残らないように、ロックボルト挿入孔１２内の空気を排気するための排気パイプ３と共にロックボルト挿入孔１２に挿入される。
【００１６】
このとき、ロックボルト１、注入パイプ２、及び排気パイプ３はいずれもロックボルト挿入孔１２の入り口からトンネル内側に突出するように設置される。これにロックボルト１、注入パイプ２、及び排気パイプ３のそれぞれの外径に合わせて貫通孔が設けられた定着材注入専用の仮プレート４が、突出したロックボルト１の頭部、注入パイプ２、及び排気パイプ３を挿通し、ロックボルト挿入孔１２の入り口を塞ぐように吹付けコンクリート１１のプレート設置面１３に当接して設置される。実施形態では作業性の関係で、ロックボルト１、注入パイプ２、及び排気パイプ３は予め仮プレート４を挿通した状態で、ロックボルト挿入孔１２に挿入される。
【００１７】
仮プレート４のプレート設置面１３に当接する一側には弾性体などからなるシール材５が備えられている。定着材を注入する際、定着材が漏えいしないようにシール材５とプレート設置面１３との密着が保たれている必要がある。そのためプレート設置面１３は、ロックボルト１の挿入前に平坦化を行うのが好ましい。
平坦化は、吹付けコンクリート１１の吹き付け後、硬化前に平坦な板材を押し当てて平坦なレプリカ面を形成するようにしてもよいし、機械的に研削してもよい。研削を行う場合はプレート設置面１３が平坦になればよく、研削深さは様々に設定してよい。即ち表面の凹凸を削り落とす程度の浅い研削でもよいし、明確に窪み部を形成するように削孔してもよい。
【００１８】
図１の実施形態は、ロックボルト１に最終的にプレートをナットで定着する際、ナット及びロックボルト１の頭部が周辺の吹付けコンクリート１１の表面から突出しない深さにまで削孔した場合を示す。このような深さで削孔することにより、防水シート貼付け等のトンネル施工の後続工程で、トンネル内壁に突起が残ることがなく、品質の良い平坦な内壁加工が可能となる。
仮プレート４は、スペーサ材６を介してアングル材７によりプレート設置面１３に押し付けられ、アングル材７はアンカー８により吹付けコンクリート１１の表面に固定される。
【００１９】
こうしてロックボルト挿入孔１２は注入パイプ２と排気パイプ３の開口部を除き外部と遮断された状態となる。この状態で注入パイプ２から定着材が注入される。図１に示すように注入パイプ２と排気パイプ３のロックボルト挿入孔１２内の長さは異なり、図１のような上向きのロックボルト挿入孔１２の場合、注入パイプ２は短くロックボルト挿入孔１２の入り口付近に先端部があるのに対し、排気パイプ３はロックボルト１と同等かやや短い長さである。このため定着材を注入すると、ロックボルト挿入孔１２の入り口側から奥に向かって充填が進み、それに伴い奥の方の空気が排気パイプ３を通って外部に排気され、定着材の中に気泡として残留するのを防止する。定着材がロックボルト挿入孔１２の奥まで充填されると、排気パイプ３の中に定着材が流れ込み、やがて排気パイプ３の外部に流れ出してくる。このように排気パイプ３は定着材注入中の空気の排気の他に定着材の充填確認の役割を果たす。
一方ロックボルト挿入孔１２が水平又は下向きの場合、定着材は奥から充填する方が、定着材の中に空気が残留しにくくなるため、注入パイプ２は奥まで届くように長く、排気パイプ３は入り口付近に開口が来るように短く設置する。
【００２０】
図２は、本発明の実施形態による仮プレートの設置方法を説明するための図であり、図１に示す断面図をそれぞれの構成要素の形状がわかるように分解して示した図である。
図２を参照すると、吹付けコンクリート１１にロックボルト挿入孔１２が削孔され、ロックボルト挿入孔１２の周囲に仮プレート４が収納される大きさの削孔が施され、その底部の平坦面がプレート設置面１３となる。このプレート設置面１３に最終的にプレートが定着されるため、仮プレート４はプレートと同じ大きさであることが望ましい。
【００２１】
ロックボルト挿入孔１２にはロックボルト１、注入パイプ２、及び排気パイプ３がプレート設置面１３より突出するように挿入される。一実施形態では、ロックボルト１の先端の突出量は削孔部の中に納まる長さとする。
【００２２】
仮プレート４はロックボルト１、注入パイプ２、及び排気パイプ３のそれぞれの外径に合わせて貫通孔が設けられた平板であり、図２では矩形形状としているが、角部を除いた８角形でも円形でもよい。また仮プレート４のプレート設置面１３に対向する面には図では見えないがシール材５を備える。シール材５は弾性を有し、厚みのあるシート状であり、仮プレート４と同じ形状でもよいし、ロックボルト挿入孔１２より大きな内径の閉じた形状（例えばドーナッツ型）でもよい。尚シール材５は単独で扱える場合、仮プレート４に備えず単独の構成部材とし、仮プレート４とプレート設置面１３との間に挟んで使用するようにしてもよい。
【００２３】
仮プレート４にロックボルト１、注入パイプ２、及び排気パイプ３を挿通した後、ロックボルト１の頭部に設けられたネジ部にナット９を螺合して仮プレート４が抜け落ちないようにする。この時ナット９の取り付け位置により仮プレート４の位置が変わり、それに伴ってロックボルト１の挿入深さが変わるため、ナット９は予め設定された位置に取り付けるようにするのが望ましい。
【００２４】
前述のように実施形態ではナットまでを取り付けた段階でロックボルト１、注入パイプ２、及び排気パイプ３をロックボルト挿入孔１２に挿入する。続いて仮プレート４を押し付けるようにドーナッツ状のスペーサ材６を挟んでアングル材７により押し付けながら、アンカー８によりアングル材７を吹付けコンクリート１１の表面に固定する。吹付けコンクリート１１の表面には予めアンカー８に合わせたアンカー用下孔１５を削孔しておき、アングル材７を固定する際は、アンカー８をアンカー用下孔１５にねじ込みながら取り付けることで固定が行われる。
【００２５】
図２に示すように、スペーサ材６の内径は、少なくともナット９及び、仮プレート４から突出した注入パイプ２、及び排気パイプ３を内部に含むことができる大きさとする。またアングル材７のスペーサと接触する面の幅は、スペーサ材６の内径よりも小さく、少なくとも突出した注入パイプ２、及び排気パイプ３をスペーサ材６の内壁とアングル材７との隙間を利用して外部に引き出すようにする。定着材を注入する際は、この外部に引き出した注入パイプ２を定着材注入装置の注入用パイプと連結することで定着材注入が可能となる。
【００２６】
アングル材７をアンカー８で固定することにより、仮プレート４を押し付けた状態を維持できるため、定着材を注入した後、定着材が固まるまで従来技術のように押し付け装置で押し付け続ける必要はない。
定着材が硬化してロックボルト１の定着がなされた後は、アンカー８を取り付けた時と逆回転させてネジ部を緩めることにより取り外すことができ、それに伴いアングル材７及びスペーサ材６を取り外すことができる。
【００２７】
図２ではスペーサ材６は独立した構成要素として示したが、予め仮プレート４に取り付けた状態で使用してもよい。また逆にアングル材７の方に取り付けておいてもよい。スペーサ材６はドーナッツ状の形状で示したが、仮プレート４を押し付けられればこの形状である必要はない。
【００２８】
図３は本発明の実施形態による後注入型ロックボルト用定着材注入方法を説明するためのフローチャートである。
図３を参照すると、一実施形態では段階Ｓ３１０でプレート又は仮プレート４を設置するためのプレート設置面１３の平坦化を行う。平坦化は前述のように吹付けコンクリート１１の硬化前に滑らかな平板を押し付けてもよいし、吹付けコンクリート１１の硬化後に研削してもよい。尚、ここでは吹付けコンクリート１１の表面の仕上がりに影響されることなく安定したプレート設置面１３を得るために平坦化を行うことを示したが、吹付けコンクリート１１の表面が、初期的にある程度平坦に形成される場合には、平坦化処理は省略してもよい。
【００２９】
次に段階Ｓ３２０でロックボルト１の頭部に仮プレート４を取り付ける。仮プレート４を取り付ける際、ロックボルト１のみならず、注入パイプ２、及び排気パイプ３も仮プレート４を挿通させ、ロックボルト挿入孔１２に挿入するときに取り扱いやすいように、注入パイプ２、及び排気パイプ３はベルトなどでロックボルト１に固定するようにするとよい。
仮プレート４に挿通させたロックボルト１の頭部には、ナット９を螺合により取り付け、ロックボルト１を挿入する前の準備段階を終了する。
【００３０】
仮プレート４、ナット９を取り付けたロックボルト１は、段階Ｓ３３０にて注入パイプ２、及び排気パイプ３と共にロックボルト挿入孔１２に挿入する。挿入は仮プレート４がプレート設置面１３に当接し、更にナット９が仮プレート４に当接するまでロックボルト１をロックボルト挿入孔１２に押し込むようにする。即ちナットの取り付け位置で仮プレート４が固定されるため、ナット９の取り付け位置によってロックボルト１の定着深さが変わってくる。そこで段階Ｓ３２０でナット９を取り付けるときは、あらかじめ想定した位置となるように調節して取り付ける。
尚、図３では作業性の関係でロックボルト１に仮プレート４を取り付けて（段階Ｓ３２０）から、ロックボルト１を挿入する（段階Ｓ３３０）ように示したが、先にロックボルト１を挿入してから仮プレート４を取り付けることも可能であり、段階Ｓ３２０と段階Ｓ３３０は逆の順序でもよい。
【００３１】
ロックボルト１の挿入が完了すると、段階Ｓ３４０で仮プレート４を均等に押し付けるようにスペーサ材６をセットしたのち、段階Ｓ３５０にてスペーサ６を押し付けた状態でアングル材７をアンカー８で固定する。スペーサ６を予め仮プレート４またはアングル材７に取り付けておく場合は、段階Ｓ３４０は省略してよい。
【００３２】
次に段階Ｓ３６０で定着材注入を開始する。定着材注入は仮プレート４から突出する注入パイプ２に、定着材注入装置の注入パイプを接続して行う。定着材は図１で説明したように注入パイプ２の開口した先端部があるロックボルト挿入孔１２入り口側から奥に向かって充填されていき、奥まで達すると排気パイプ３を通って溢れ出てくる。そこで定着材が排気パイプ３から溢れ出てきたかどうかで、定着材が充てんしたかどうかを確認することができる。定着材が溢れ出てきたことを確認して注入を終了する。
【００３３】
図４は、本発明の他の実施形態による仮プレートの設置方法を説明するための図である。
図１、２ではプレート設置面１３の平坦化のために、後の工程を考慮して、ロックボルト１の先端部が周辺の吹付けコンクリート１１の表面から突出しないように積極的に窪み部を形成するように削孔する実施形態を示したが、図４は吹付けコンクリート１１の表面は初期仕上がりが良好で平坦化が必要ないか、平坦化を行ったとしてもごく表面のみを研削する程度で、窪み部を形成しない実施形態の仮プレートの設置方法を示す。
【００３４】
図４を参照すると、図４（ａ）と（ｂ）で仮プレート４を押さえるアングル材７の異なる実施形態を示す。
図４（ａ）、（ｂ）はともに仮プレート４にロックボルト１、注入パイプ２、及び排気パイプ３を挿通した後、ロックボルト１の頭部に設けられたネジ部にナット９を螺合してロックボルト挿入孔１２に挿入したところまでは共通である。また窪み部を形成していないため、仮プレート４は吹付けコンクリート１１の表面から突出しており、仮プレート４を押し付けるのにスペーサ６は使用せず、アングル材７で直接押し付けるようにアングル材７が固定される。
【００３５】
アングル材７の仮プレート４に当接する面は図１、２で示したアングル材７よりも幅広にしてもよい。但し、仮プレート４から突出するロックボルト１、ナット９、注入パイプ２、及び排気パイプ３があり、これらが仮プレート４を押し付けるのに障害となるため、図４（ａ）のアングル材７の、仮プレート４に当接する面には、これら突出する構成要素が影響しないように、それぞれの突出位置に逃げ孔又は切り欠きを設け、突出する構成要素がない部分のみを押し付けるような形状としてある。
【００３６】
図４（ｂ）はアングル材７をロックボルト１の頭部、ナット９を回避するように一方向を凸形状に折り曲げた形状としてある。
図４（ａ）、（ｂ）に示す構造はそれぞれ一つの実施形態であって、仮プレート４を押し付けることができればこれら形状にとらわれる必要はない。
【００３７】
図５は、本発明の実施形態によるロックボルト定着後のプレートの定着を説明するための図である。
ロックボルト挿入孔１２に定着材を注入した後、所定の時間放置すると定着材が硬化し、ロックボルト１が定着される。仮プレート４は定着材注入から硬化に至る間、定着材が漏えいしないようにロックボルト挿入孔１２の入り口をふさぐためのものであるので、定着材が硬化すると不要となる。そこで定着材の硬化後仮プレート４を取り外し、最終的に定着されるプレート１４との交換を行う。
【００３８】
仮プレート４の取り外しは、アングル材７を固定するアンカー８を取り外し、仮プレート４を押さえていたアングル材７、スペーサ材６を取り外すことにより行う。定着材が硬化した状態では硬化した定着材１６の表面から、ロックボルト１、注入パイプ２、及び排気パイプ３が突出した状態となる。ロックボルト１はプレート１４を定着するために使用するが、注入パイプ２、及び排気パイプ３は定着材の注入が終了した後は不要となり、むしろプレート１４の取り付けの際の障害物となる。そこで図５に示すように定着材１６の表面から突出する注入パイプ２、及び排気パイプ３は定着材１６の表面部分で切断して除去する。
【００３９】
このようにロックボルト１のみが突出するようにしてから、定着用のプレート１４をロックボルト１に挿通し、ナット９で螺合することによりプレート１４を定着する。図５は図２に対応するものであり、プレート設置面１３は予め削孔により周辺の吹付けコンクリート１１より低く形成され、ロックボルト１、プレート１４、ナット９はこの削孔によって形成された窪み部内に収まる高さとすることで、後に続く工程である防水シート貼付けを平坦に仕上げることができる。
【００４０】
図６は、本発明の実施形態によるロックボルト定着後のプレートの定着を説明するためのフローチャートである。
図６を参照すると、段階Ｓ６１０でアングル材７、仮プレート４の取り外しを行う。スペーサ材６を使用する場合はこの時スペーサ材６も一緒に取り外す。取り外したアングル材７、仮プレート４、スペーサ材６は再利用が可能であり、後注入型ロックボルト用定着材注入にかかる費用を必要以上に増加させることはない。
【００４１】
次いで段階Ｓ６２０にて、定着材１６から突出する注入パイプ２、及び排気パイプ３を根元部分で切断して取り除く。
段階Ｓ６２０でプレート１４取り付けの際の障害物が取り除かれるので、段階Ｓ６３０でロックボルト１の突出部をプレート１４に挿通させ、さらにナット９を螺合してプレート１４を定着させる（段階Ｓ６４０）。
こうしてプレート１４は平坦化したプレート設置面１３に当接し、吹付けコンクリート１１に片当たりすることなく良好なプレート定着を行うことができる。
【００４２】
上記で説明したように、本発明の実施形態による後注入型ロックボルト用定着材注入方法によれば、簡単な方法で仮プレートを固定し、トンネルの天井付近などのように上向きのロックボルトの定着においても定着材が漏れ出すことなく後注入を行うことができ、さらに、仮プレートやこれを押さえるアングル材などは取り外して再利用ができるため、ロックボルトの定着に係る施工費用を低く抑えることができるという効果が得られる。
【００４３】
以上、本発明の実施形態について図面を参照しながら詳細に説明したが、本発明は、上述の実施形態に限定されるものではなく、本発明の技術的範囲から逸脱しない範囲内で多様に変更することが可能である。
【符号の説明】
【００４４】
１    ロックボルト
２    注入パイプ
３    排気パイプ
４    仮プレート
５    シール材
６    スペーサ材
７    アングル材
８    アンカー
９    ナット
１０  地山
１１    吹付けコンクリート
１２    ロックボルト挿入孔
１３    プレート設置面
１４    プレート
１５    アンカー用下孔
１６    定着材
【図１】
2018178426.tif 000003
【図２】
2018178426.tif 000004
【図３】
2018178426.tif 000005
【図４】
2018178426.tif 000006
【図５】
2018178426.tif 000007
【図６】
2018178426.tif 000008